(57)【要約】      （修正有）【課題】  形状維持強度を高め、作業性を向上させることのできる食品用容器を提供すること。【解決手段】  少なくとも２つの収納凹部が一方向に隣接配置された食品容器において、連接部３を、切取線７に沿うように全体として１つの彎曲形状に形成する。これにより、隣接する各１対の収納凹部２間に配設された彎曲形状をなす連接部３において、回転軸となる切取線６を構成する各スリット７がそれぞれ異なる角度に傾斜するため、形状維持強度を大幅に向上させることができる。このため、収納凹部が撓み、収納食材が落下してしまうことを防止しうる。【選択図】      図１
2006069609.tif 000002
【特許請求の範囲】
【請求項１】
少なくとも２つの収納凹部が一方向に隣接配置され、隣接する各１対の収納凹部の上縁部が連接部によりそれぞれ連接されており、前記連接部に前記各収納凹部を個別に切り離し可能とする複数のスリットと付着部とが交互に直線状に配置されてなる切取線が形成された食品用容器において、
前記連接部が、前記切取線に沿うように全体として１つの彎曲形状に形成されていることを特徴とする食品用容器。
【請求項２】
少なくとも４つの収納凹部が二方向に隣接配置され、隣接する各１対の収納凹部の上縁部が連接部によりそれぞれ連接されており、前記各連接部に前記各収納凹部を個別に切り離し可能とする複数のスリットと付着部とが交互に直線状に配置されてなる切取線が形成された食品用容器において、
両連接方向における前記各１対の収納凹部間の連接部が、それぞれ対応する前記切取線に沿うように彎曲形状に形成されていることを特徴とする食品用容器。
【請求項３】
少なくとも４つの収納凹部が二方向に隣接配置され、隣接する各１対の収納凹部の上縁部が連接部によりそれぞれ連接されており、前記各連接部に前記各収納凹部を個別に切り離し可能とする複数のスリットと付着部とが交互に直線状に配置されてなる切取線が形成された食品用容器において、
両連接方向における前記複数対の収納凹部間の連接部が、対応する前記切取線に沿うように全体として１つの彎曲形状に形成されていることを特徴とする食品用容器。
【請求項４】
少なくとも４つの収納凹部が二方向に隣接配置され、隣接する各１対の収納凹部の上縁部が連接部によりそれぞれ連接されており、前記各連接部に前記各収納凹部を個別に切り離し可能とする複数のスリットと付着部とが交互に直線状に配置されてなる切取線が形成された食品用容器において、
一方の連接方向における前記各１対の収納凹部間の連接部が、それぞれ対応する前記切取線に沿うように彎曲形状に形成されており、他方の連接方向における前記複数対の収納凹部間の連接部が、対応する前記切取線に沿うように全体として１つの彎曲形状に形成されていることを特徴とする食品用容器。
【請求項５】
前記連接部の彎曲形状は、連接部の長手方向中央部が両端部より下方に位置する凹状に形成されていることを特徴とする請求項１乃至請求項４のいずれか１項に記載の食品用容器。
【請求項６】
前記連接部の彎曲形状は、連接部の長手方向中央部が両端部より上方に位置する凸状に形成されていることを特徴とする請求項１乃至請求項４のいずれか１項に記載の食品用容器。
【請求項７】
前記連接部の彎曲形状は、連接部の長手方向中央部が両端部より下方に位置する凹状と、連接部の長手方向中央部が両端部より上方に位置する凸状とが混在するように形成されていることを特徴とする請求項１乃至請求項４のいずれか１項に記載の食品用容器。
【発明の詳細な説明】
【技術分野】
【０００１】
本発明は食品用容器に係り、特に、形状維持強度を高め、作業性を向上させることのできる食品用容器に関する。
【背景技術】
【０００２】
従来から、冷凍食品などの食品を小分けにして収納することができる食品用容器として、食品を収納する収納凹部が複数隣接配置されるとともに、隣接する各収納凹部の上縁部が連接され、この連接部に切り離し用の切取線が形成されて各収納凹部を分割可能としたものがある。そして、このような食品用容器において、複数のスリットと付着部とが交互に直線状に配置されてなる切取線が同一平面上に位置した場合、各収納凹部を切り離す際に回転軸となる各スリットが１本の回転軸となって、各収納凹部が他の収納凹部に対し切取線を中心として撓みやすく、折れ曲がることになるため、回転軸となる各スリットをずらした食品用容器がある。
【０００３】
前述したような従来の食品用容器の一例として、４つの収納凹部が前後左右に、すなわち二方向に２列ずつ隣接配置され、隣接する各収納凹部の上縁部が連接部を介して連接されているものがある。
【０００４】
前記連接部は、４つの収納凹部の中央部に十字型に介在しており、この連接部に沿って、十字状に２本の切取線が形成されている。なお、前記連接部２の十字交差部およびその近傍には、他の箇所よりも低く形成された段差が設けられている。
【０００５】
前記切取線は、複数のスリットと付着部とが交互に直線状に配置されて構成されており、十字方向に交差した位置には付着部を位置させず、スリットを介して交差している。これは、交差位置に付着部が位置していると、この付着部を切断する時に、切断方向が左右にそれやすくなるからである。
【０００６】
また、前記段差の段差面（段差の高部と低部をつなぐ面）には付着部が位置しているが、これは、前記段差面に付着部を位置させることにより、この部分において回転軸となる各スリットが互いにねじれた位置にある複数本となって一直線とならないことから、トレーの形状維持強度が向上して変形しにくくなるからである。
【０００７】
さらに、前記段差面の角度は、前記回転軸の位置をできるだけ大きくずらせて形状維持強度を効果的に高めることができるよう、９０〜１２０度の傾斜に形成されており、さらに、前記段差面の角に丸みを持たせ、形状維持強度をさらに高めている。
【０００８】
前記スリットの両端縁は三角形状に形成されており、切り離し時に三角形の頂部から裂けて伝播し切断方向を一定方向に維持しやすくなっている。
【０００９】
そして、前記食品用容器の外周縁部には、外方に張り出したフランジ部がそれぞれ形成されており、前記食費用容器の端縁と前記切取線の交点は、前記フランジ部となった端縁を切り離して開口したスリットとなっている。したがって、前記切取線に沿った切り離し開始時に、最初の付着部に対して力を集中しやすくなっており、強い力を加えることなく切り離しを開始することができるようになっている（例えば、特許文献１参照）。
【００１０】
【特許文献１】特開平１１−２２７７３５号公報
【発明の開示】
【発明が解決しようとする課題】
【００１１】
しかしながら、前述したような従来の食品用容器においては、各収納凹部を連接している連接部に段差を形成し、この段差により連接部に形成された切取線の回転軸を複数にずらして形状維持強度を高めているが、段差の低部およびこの低部に隣接する高部においてそれぞれ回転軸が直線状に位置するため、これらの箇所において形状維持強度が低下して各収納凹部が撓みやすく、食品の充填、食品用容器の包装、収納凹部の切り離し、あるいは、収納凹部から食品を取り出す際の作業性を低下させてしまっていた。
【００１２】
本発明はこのような問題点に鑑みてなされたもので、形状維持強度を高め、作業性を向上させることのできる食品用容器を提供することを目的としている。
【課題を解決するための手段】
【００１３】
前述した目的を達成するため本発明に係る食品用容器の特徴は、少なくとも２つの収納凹部が一方向に隣接配置され、隣接する各１対の収納凹部の上縁部が連接部によりそれぞれ連接されており、前記連接部に前記各収納凹部を個別に切り離し可能とする複数のスリットと付着部とが交互に直線状に配置されてなる切取線が形成された食品用容器において、前記連接部が、前記切取線に沿うように全体として１つの彎曲形状に形成されている点にある。
【００１４】
このような構成を採用したことにより、複数の収納凹部が一方向に隣接配置された食品用容器において、隣接する各１対の収納凹部間にそれぞれ配設された１つの彎曲形状をなす連接部において回転軸となる切取線を構成する各スリットがそれぞれ異なる角度に傾斜するため、形状維持強度を大幅に向上させることができる。このため、各収納凹部を切り離したり各収納凹部から食品を取り出すなどの際に、連接部により他の収納凹部が撓み、収納凹部に収納された食材が落下してしまうことを防止することができる。
【００１５】
また、本発明に係る食品用容器の他の特徴は、少なくとも４つの収納凹部が二方向に隣接配置され、隣接する各１対の収納凹部の上縁部が連接部によりそれぞれ連接されており、前記各連接部に前記各収納凹部を個別に切り離し可能とする複数のスリットと付着部とが交互に直線状に配置されてなる切取線が形成された食品用容器において、両連接方向における前記各１対の収納凹部間の連接部が、それぞれ対応する前記切取線に沿うように彎曲形状に形成されている点にある
【００１６】
このような構成を採用したことにより、複数の収納凹部が二方向に隣接配置された食品用容器において、隣接する各１対の収納凹部間にそれぞれ配設された１つの彎曲形状をなす連接部において回転軸となる切取線を構成する各スリットがそれぞれ異なる角度に傾斜するため、形状維持強度を大幅に向上させることができる。このため、各収納凹部を切り離したり各収納凹部から食品を取り出すなどの際に、連接部により他の収納凹部が撓み、収納凹部に収納された食材が落下してしまうことを防止することができる。
【００１７】
さらに、本発明に係る食品用容器の他の特徴は、少なくとも４つの収納凹部が二方向に隣接配置され、隣接する各１対の収納凹部の上縁部が連接部によりそれぞれ連接されており、前記各連接部に前記各収納凹部を個別に切り離し可能とする複数のスリットと付着部とが交互に直線状に配置されてなる切取線が形成された食品用容器において、両連接方向における前記複数対の収納凹部間の連接部が、対応する前記切取線に沿うように全体として１つの彎曲形状に形成されている点にある。
【００１８】
このような構成を採用したことにより、複数の収納凹部が二方向に隣接配置された食品用容器において、隣接する各複数対の収納凹部間にそれぞれ配設された全体として１つの彎曲形状をなす連接部において回転軸となる切取線を構成する各スリットがそれぞれ異なる角度に傾斜するため、形状維持強度を大幅に向上させることができる。このため、各収納凹部を切り離したり各収納凹部から食品を取り出すなどの際に、連接部により他の収納凹部が撓み、収納凹部に収納された食材が落下してしまうことを防止することができる。
【００１９】
さらにまた、本発明に係る食品用容器の他の特徴は、少なくとも４つの収納凹部が二方向に隣接配置され、隣接する各１対の収納凹部の上縁部が連接部によりそれぞれ連接されており、前記各連接部に前記各収納凹部を個別に切り離し可能とする複数のスリットと付着部とが交互に直線状に配置されてなる切取線が形成された食品用容器において、一方の連接方向における前記各１対の収納凹部間の連接部が、それぞれ対応する前記切取線に沿うように彎曲形状に形成されており、他方の連接方向における前記複数対の収納凹部間の連接部が、対応する前記切取線に沿うように全体として１つの彎曲形状に形成されている点にある。
【００２０】
このような構成を採用したことにより、複数の収納凹部が二方向に隣接配置された食品用容器において、一方の連接方向において隣接する各１対の収納凹部間にそれぞれ配設された１つの彎曲形状をなす連接部と、他方の連接方向において隣接する各複数対の収納凹部間にそれぞれ配設された全体として１つの彎曲形状をなす連接部とにおいて回転軸となる切取線を構成する各スリットがそれぞれ異なる角度に傾斜するため、形状維持強度を大幅に向上させることができる。このため、各収納凹部を切り離したり各収納凹部から食品を取り出すなどの際に、連接部により他の収納凹部が撓み、収納凹部に収納された食材が落下してしまうことを防止することができる。
【００２１】
また、本発明に係る食品用容器の他の特徴は、前記連接部の彎曲形状が、連接部の長手方向中央部が両端部より下方に位置する凹状に形成されている点にある。
【００２２】
さらに、本発明に係る食品用容器の他の特徴は、前記連接部の彎曲形状が、連接部の長手方向中央部が両端部より上方に位置する凸状に形成されている点にある。
【００２３】
さらにまた、本発明に係る食品用容器の他の特徴は、前記連接部の彎曲形状が、連接部の長手方向中央部が両端部より下方に位置する凹状と、連接部の長手方向中央部が両端部より上方に位置する凸状とが混在するように形成されている点にある。
【発明の効果】
【００２４】
本発明の食品用容器によれば、連接部を彎曲形状に形成することにより、各収納凹部を切り離す際に回転軸となる各スリットの傾斜角度をずらして食品用容器の形状維持強度を向上させることができる。このため、食品の充填、食品用容器の包装、収納凹部の切り離したり、あるいは、収納凹部から食品を取り出すなどの際に、他の収納凹部が撓んで収納凹部に収納された食品が落下してしまうことを防止することができ、作業性を大幅に向上させることができる。
【発明を実施するための最良の形態】
【００２５】
以下、図面を用いて本発明に係る食品用容器の実施形態について説明する。
【００２６】
図１は本発明に係る食品用容器の第１実施形態を示す斜視図、図２は本発明に係る食品用容器の第２実施形態を示す斜視図、図３は本発明に係る食品用容器の第３実施形態を示す斜視図、図４は本発明に係る食品用容器の第４実施形態を示す斜視図、図５は本発明に係る食品用容器の第５実施形態を示す斜視図である。
【００２７】
本第１実施形態の食品用容器１は、例えば、ポリエチレンやポリプロピレン等の樹脂材料から形成されており、図１に示すように、冷凍食品等の食品（図示せず）をそれぞれ一定量ずつ収納する四角形状の収納凹部２が一方向に複数（本実施形態においては４つ）隣接配置されており、各収納凹部２は隣接する上端部が連接部３によりそれぞれ連接されている。さらに、前記食品用容器１の外周縁部の上端部には外方に張出したフランジ４が一体に形成されており、このフランジ４の外周縁部には下方に折曲された折曲面４ａが設けられフランジ４の形状維持強度が高められている。なお、本第１実施形態において、前記各収納凹部２は四角形状に形成されているが、収納される冷凍食品等の形状あるいは形態に応じて、円形あるいは楕円形等の様々な形状に形成してもよい。
【００２８】
本第１実施形態において前記各連接部３は、それぞれ隣接する各１対の収納凹部２に連接されており、各連接部３の長手方向において両端から中央にかけて下方に凹入するように彎曲する１つの凹状の彎曲形状に形成されている。そして、前記各連接部３の最も低い箇所は、前記フランジ４の高さの０〜９８％の高さに形成されている。
【００２９】
前記フランジ４には、隣接する各１対の収納凹部２間の延長上ににそれぞれ切欠き状の凹部５が形成されている。各凹部５は後述する各切取線６の端部に合致するように形成され、隣接する収納凹部２を切り離す際に切取線６の端部に力が加わりやすくなっている。このため、隣接する収納凹部２を切り離す際、力の入れすぎ等により収納凹部２に収納された食品が飛び出してしまうことを防止することができる。
【００３０】
そして、前記各連接部３および前記フランジ４には、連接された各収納凹部２を切り離し可能とするスリット７と付着部８とが交互に直線状に配置されてなる前記切取線６が形成されており、各切取線６はフランジ４から下方に折曲するように形成されている折曲面４ａに至って形成されている。そして、前記切取線６は、前記各連接部３が彎曲形状に彎曲されているため、各収納凹部２を切り離す際に回転軸となる各スリット７がそれぞれ異なる傾斜角度を有することになり、各切取線６における前記食品用容器１の形状維持強度を大幅に向上させることができる。このため、各連接部３が撓みにくくなり、各収納凹部２への食品の充填、食品用容器１の包装、食品の取り出し等を行う際に、前記各連接部３が撓みにくくなり、作業性を大幅に向上させることができる。
【００３１】
また、本第２実施形態の食品用容器１１として、図２に示すように、本第１実施形態の食品用容器１の各連接部３をその長手方向において両端から中央にかけて上方に膨出するように彎曲する１つの凸状の彎曲形状に形成した連接部１３に形成しても、本第１実施形態の食品用容器１と同様の効果を奏することができる。このとき、各連接部１３の最も高い箇所は、前記フランジ４の高さの０〜９８％の高さに形成されている。
【００３２】
さらに、本第１実施形態あるいは本第２実施形態において、各連接部３あるいは各連接部１３を、その長手方向においてそれぞれ両端から中央にかけて上方に膨出するように彎曲する凸状の彎曲形状およびそれぞれ両端から中央にかけて下方に凹入するように彎曲する凹状の彎曲形状を混在させても同様の効果を奏することができる。
【００３３】
つぎに、本発明に係る食品用容器の第３実施形態について説明する。
【００３４】
本第３実施形態の食品用容器２１は本第１実施形態および本第２実施形態と同様に、例えば、ポリエチレンやポリプロピレン等の樹脂材料から形成されており、図３に示すように、冷凍食品等の食品（図示せず）をそれぞれ一定量ずつ収納する四角形状の収納凹部２２が二方向に複数（本実施形態においては二方向に２×４の８つ）隣接配置されており、前記各１対の各収納凹部２２の隣接する上端部が一方の方向において連接部２３によりそれぞれ連接されており、他方の方向においても連接部２４によりそれぞれ連接されている。さらに、前記食品用容器２１の外周縁部の上端部には外方に張出したフランジ２５が一体に形成されており、このフランジ２５の外周縁部には下方に折曲された折曲面２５ａが設けられフランジ２５の形状維持強度を高めている。なお、本第３実施形態において、前記各収納凹部２２は四角形状に形成されているが、収納される冷凍食品等の形状あるいは形態に応じて、円形あるいは楕円形等の様々な形状に形成してもよい。
【００３５】
本第３実施形態において、前記各連接部２３および前記各連接部２４は、それぞれ隣接する各１対の収納凹部２２を連接するように形成されており、各連接部２４は長手方向における両端から中央にかけて下方に傾斜する１つの凹状の彎曲形状に形成されている。そして、前記各連接部２３および前記各連接部２４の最も低い箇所は、前記フランジ２５の高さの０〜９８％の高さに形成されている。
【００３６】
前記フランジ２５には、隣接する各１対の収納凹部２２間の延長上にそれぞれ切欠き状の凹部２６が形成されており、前記各凹部２６は後述する各切取線２７の端部に合致するように形成され、隣接する収納凹部２２を切り離す際に切取線２７の端部に力が加わりやすくなっている。このため、隣接する収納凹部２２を切り離す際、力の入れすぎ等により収納凹部２２に収納された食品が飛び出してしまうことを防止することができる。
【００３７】
そして、前記各連接部２３、前記各連接部２４および前記フランジ２５には、連接された各収納凹部２２を切り離し可能とするスリット２８と付着部２９とが交互に直線状に配置されてなる切取線２７がそれぞれ形成されており、前記各切取線２７は前記フランジ２５の折曲面２５ａにまで至るように形成されている。そして、前記各切取線２５は、前記各連接部２３および前記各連接部２４が彎曲形状に彎曲しているため、前記各収納凹部２２を切り離す際に回転軸となる前記各スリット２８がそれぞれ異なる傾斜角度を有し、前記各切取線２７における前記食品用容器２１の形状維持強度を大幅に向上させることができる。このため、前記各収納凹部２２への食品の充填、前記食品用容器２１の包装、食品の取り出し等を行う際に、前記各連接部２３および前記各連接部２４が撓みにくくなり、作業性を大幅に向上させることができる。
【００３８】
なお、本第３実施形態の食品用容器２１において、各連接部２３および各連接部２４を、それぞれ両端から中央にかけて上方に傾斜する凸状の彎曲形状に形成しても同様の効果を奏することができる。さらに、各連接部２３および各連接部２４を、それぞれその長手方向における両端から中央にかけて上方に膨出するように彎曲する凸状あるいはそれぞれ両端から中央にかけて下方に凹入するように彎曲する凹状の彎曲形状を混在させても同様の効果を奏することができる。
【００３９】
つぎに、本発明に係る食品用容器の第４実施形態について説明する。
【００４０】
本第４実施形態の食品用容器３１は本第１実施形態乃至本第３実施形態と同様に、例えば、ポリエチレンやポリプロピレン等の樹脂材料から形成されており、図４に示すように、冷凍食品等の食品（図示せず）をそれぞれ一定量ずつ収納する四角形状の収納凹部３２が二方向に複数（本実施形態においては二方向に２×４の８つ）隣接配置されており、前記各複数対の各収納凹部３２の隣接する上端部が一方の方向において連接部３３によりそれぞれ連接されており、他方の方向においても連接部３４によりそれぞれ連接されている。さらに、前記食品用容器３１の外周縁部の上端部には外方に張出したフランジ３５が一体に形成されており、このフランジ３５の外周縁部には下方に折曲された折曲面３５ａが設けられフランジ３５の形状維持強度を高めている。なお、本第４実施形態において、前記各収納凹部３２は四角形状に形成されているが、収納される冷凍食品等の形状あるいは形態に応じて、円形あるいは楕円形等の様々な形状に形成してもよい。
【００４１】
本第４実施形態において、前記各連接部３３および前記各連接部３４は、それぞれ隣接する各複数対の収納凹部３２を連接するように形成されており、各連接部３３，３４は長手方向における両端から中央にかけて下方に凹入するように彎曲する全体として１つの凹状の彎曲形状に形成されている。そして、前記各連接部３３および前記各連接部３４の最も低い箇所は、前記フランジ３５の高さの０〜９８％の高さに形成されている。
【００４２】
前記フランジ３５には、隣接する各１対の収納凹部３２間にそれぞれ切欠き状の凹部３６が形成されており、前記各凹部３６は後述する各切取線３７の端部に合致するように形成され、隣接する収納凹部３２を切り離す際に切取線３７の端部に力が加わりやすくなっている。このため、隣接する収納凹部３２を切り離す際、力の入れすぎ等により収納凹部３２に収納された食品が飛び出してしまうことを防止することができる。
【００４３】
そして、前記各連接部３３、前記各連接部３４および前記フランジ３５には、連接された各収納凹部３２を切り離し可能とするスリット３８と付着部３９とが交互に直線状に配置されてなる切取線３７がそれぞれ形成されており、前記各切取線３７は前記フランジ３５の折曲面３５ａにまで至るように形成されている。そして、前記各切取線３５は、前記各連接部３３および前記各連接部３４が彎曲形状に彎曲しているため、前記各収納凹部３２を切り離す際に回転軸となる前記各スリット３８がそれぞれ異なる傾斜角度を有し、前記各切取線３７における前記食品用容器３１の形状維持強度を大幅に向上させることができる。このため、前記各収納凹部３２への食品の充填、前記食品用容器３１の包装、食品の取り出し等を行う際に、前記各連接部３３および前記各連接部３４が撓みにくくなり、作業性を大幅に向上させることができる。
【００４４】
なお、本第４実施形態の食品用容器３１において、各連接部３３および各連接部３４を、それぞれ長手方向における両端から中央にかけて上方に膨出するように彎曲する凸状の彎曲形状に形成しても同様の効果を奏することができる。さらに、各連接部３３および各連接部３４を、それぞれ長手方向における両端から中央にかけて上方に膨出するように彎曲する凸状あるいはそれぞれ長手方向における両端から中央にかけて下方に凹入するように彎曲する凹状の彎曲形状を混在させても同様の効果を奏することができる。
【００４５】
つぎに、本発明に係る食品用容器の第５実施形態について説明する。
【００４６】
本第５実施形態の食品用容器４１は本第１実施形態乃至本第４実施形態と同様に、例えば、ポリエチレンやポリプロピレン等の樹脂材料から形成されており、図５に示すように、冷凍食品等の食品（図示せず）をそれぞれ一定量ずつ収納する四角形状の収納凹部４２が二方向に複数（本実施形態においては二方向に２×４の８つ）隣接配置されており、一方の方向において各収納凹部４２の上端部が連接部４３によりそれぞれ連接されており、他方の方向においても各収納凹部４２の上端部が連接部４４によりそれぞれ連接されている。さらに、前記食品用容器４１の外周縁部の上端部には外方に張出したフランジ４５が一体に形成されており、このフランジ４５の外周縁部には下方に折曲された折曲面４５ａが設けられフランジ４５の形状維持強度を高めている。なお、本第５実施形態において、前記各収納凹部４２は四角形状に形成されているが、収納される冷凍食品等の形状あるいは形態に応じて、円形あるいは楕円形等の様々な形状に形成してもよい。
【００４７】
本第５実施形態において、前記各連接部４３は、それぞれ隣接する各複数対の収納凹部４２を連接するように形成されており、各連接部４３は長手方向における両端から中央にかけて下方に凹入するように彎曲する全体として１つの凹状の彎曲形状に形成されており、前記各連接部４４は、それぞれ隣接する各１対の収納凹部４２を連接するように形成されており、それぞれ長手方向における両端から中央にかけて下方に凹入するように彎曲する凹状の彎曲形状に形成されている。そして、前記各連接部４３および前記各連接部４４の最も低い箇所は、前記フランジ４５の高さの０〜９８％の高さに形成されている。
【００４８】
前記フランジ４５には、隣接する各１対の収納凹部４２間にそれぞれ切欠き状の凹部４６が形成されており、前記各凹部４６は後述する各切取線４７の端部に合致するように形成され、隣接する収納凹部４２を切り離す際に切取線４７の端部に力が加わりやすくなっている。このため、隣接する収納凹部４２を切り離す際、力の入れすぎ等により収納凹部４２に収納された食品が飛び出してしまうことを防止することができる。
【００４９】
そして、前記各連接部４３、前記各連接部４４および前記フランジ４５には、連接された各収納凹部４２を切り離し可能とするスリット４８と付着部４９とが交互に直線状に配置されてなる切取線４７がそれぞれ形成されており、前記各切取線４７は前記フランジ４５の折曲面４５ａにまで至るように形成されている。そして、前記各切取線４５は、前記各連接部４３および前記各連接部４４が彎曲形状に彎曲しているため、前記各収納凹部４２を切り離す際に回転軸となる前記各スリット４８がそれぞれ異なる傾斜角度を有し、前記各切取線４７における前記食品用容器４１の形状維持強度を大幅に向上させることができる。このため、前記各収納凹部４２への食品の充填、前記食品用容器４１の包装、食品の取り出し等を行う際に、前記各連接部４３および前記各連接部４４が撓みにくくなり、作業性を大幅に向上させることができる。
【００５０】
なお、本第５実施形態の食品用容器４１において、各連接部４３および各連接部４４を、それぞれ長手方向における両端から中央にかけて上方に膨出するように彎曲する凸状の彎曲形状に形成しても同様の効果を奏することができる。さらに、各連接部４３および各連接部４４を、それぞれ長手方向における両端から中央にかけて上方に膨出するように彎曲する凸状あるいはそれぞれ長手方向における両端から中央にかけて下方に凹入するように彎曲する凹状の彎曲形状を混在させても同様の効果を奏することができる。
【００５１】
なお、本発明は、前述した実施の形態に限定されるものではなく、必要に応じて種々の変更が可能である。
【図面の簡単な説明】
【００５２】
【図１】本発明に係る食品用容器の第１実施形態を示す斜視図
【図２】本発明に係る食品用容器の第２実施形態を示す斜視図
【図３】本発明に係る食品用容器の第３実施形態を示す斜視図
【図４】本発明に係る食品用容器の第４実施形態を示す斜視図
【図５】本発明に係る食品用容器の第５実施形態を示す斜視図
【符号の説明】
【００５３】
１  食品用容器
２  収納凹部
３  連接部
４  フランジ
５  凹部
６  切取線
７  スリット
８  付着部
１１  食品用容器
１３  連接部
２１  食品用容器
２２  収納凹部
２３  連接部
２４  連接部
２５  フランジ
２６  凹部
２７  切取線
２８  スリット
２９  付着部
３１  食品用容器
３２  収納凹部
３３  連接部
３４  連接部
３５  フランジ
３６  凹部
３７  切取線
３８  スリット
３９  付着部
４１  食品用容器
４２  収納凹部
４３  連接部
４４  連接部
４５  フランジ
４６  凹部
４７  切取線
４８  スリット
４９  付着部
【図１】
2006069609.tif 000003
【図２】
2006069609.tif 000004
【図３】
2006069609.tif 000005
【図４】
2006069609.tif 000006
【図５】
2006069609.tif 000007